(57)【特許請求の範囲】
【請求項１】
電気−音響変換器（１５）、音響−電気変換器（１４）を有する端末機（ＦＳ1、ＦＳ2、…ＦＳn）と通話の交換制御を行う制御装置（ＭＡ1）とを伝送線路（Ｌ1、Ｌ2、…Ｌn）で接続し、音声をデジタル化して前記端末機間で拡声同時通話を行う拡声同時通話インターホン装置であって、
前記制御装置に、前記拡声同時通話時における各端末機での前記電気−音響変換器、音響−電気変換器間の音響帰還および電気的帰還に起因するハウリングを抑制するための偶数個のエコーキャンセラー（ＥＣ1、ＥＣ2、…ＥＣｎ）を備え、
前記制御装置で使用目的および通話のトラフィックの多少に応じてサンプリング・レートを変えて伝送できる音声周波数帯域を可変することにより高音質音声または通話路数の増減への対応を可能とするため前記音声周波数帯域を可変する際、前記高音質音声で動作させる場合は前記偶数個のエコーキャンセラーを１対毎に分割して１対のエコーキャンセラーを交互に並列動作させることによりエコー除去できる音声周波数帯域を広帯域化させ、前記通話路数を増やす場合は前記偶数個のエコーキャンセラーのうちの一部の１対のエコーキャンセラーをそれぞれ個別動作させてエコーを除去しハウリングを抑制するタイミング回路（１９、２４）を備えたことを特徴とする拡声同時通話装置。
【発明の詳細な説明】
【０００１】
【発明の属する技術分野】
この発明は、拡声同時通話装置に係り、特にハウリングを抑制するためにエコーキャンセラーを備えた拡声同時通話装置に関する。
【０００２】
【従来の技術】
従来から、この種の拡声同時通話装置として図３に示すものが知られている。同図に示す拡声同時通話装置は、通話を行うための端末機ＦＳ′1、ＦＳ′2、…ＦＳ′nと、通話の交換制御を行う制御装置ＭＡ′1とを備え、伝送線路Ｌ′1、Ｌ′2、…Ｌ′nによって接続されている。
【０００３】
端末機ＦＳ′1、ＦＳ′2、…ＦＳ′nは何れも、選局スイッチ５１、応答スイッチ５２、ＣＰＵ５３、マイク５４、スピーカ５５、コーデック５６、データ分離・合成回路５７、５８、データ整形回路５９、伝送回路６０、タイミング回路６１およびエコーキャンセラーＥＣ1、ＥＣ2から構成されている。
【０００４】
マイク５４およびスピーカ５５はコーデック５６に接続され、コーデック５６は第１のデータ分離・合成回路５７に接続されている。この第１のデータ分離・合成回路５７と第２のデータ分離・合成回路５８との間には２つのエコーキャンセラーＥＣ1、ＥＣ2が並列接続されている。第２のデータ分離・合成回路５８はデータ整形回路５９に接続され、データ整形回路５９には伝送回路６０およびＣＰＵ５３が接続されている。このＣＰＵ５３にはタイミング回路６１が接続され、タイミング回路６１はコーデック５６、データ分離・合成回路５７、５８、エコーキャンセラーＥＣ1、ＥＣ2およびデータ整形回路５９に接続されている。また、ＣＰＵ５３には、選局スイッチ５１および応答スイッチ５２が接続されている。なお、伝送回路６０は端末機ＦＳ′1、ＦＳ′2、…ＦＳ′nそれぞれに対応した伝送線路Ｌ′1、Ｌ′2、…Ｌ′nに接続されている。
【０００５】
一方、制御装置ＭＡ′1は、伝送回路７１、データ整形回路７２、ＣＰＵ７３およびタイミング回路７４から構成され、データ整形回路７２には伝送回路７１、ＣＰＵ７３およびタイミング回路７４が接続され、このＣＰＵ７３とタイミング回路７４とは接続されている。なお、伝送回路７１には各伝送線路Ｌ′1、Ｌ′2、…Ｌ′nが接続されている。
【０００６】
このような拡声同時通話装置に使用されている各端末機ＦＳ′1、ＦＳ′2、…ＦＳ′のタイミング回路６１は、コーデック５６、データ分離・合成回路５７、５８、エコーキャンセラーＥＣ1、ＥＣ2およびデータ整形回路５９の動作タイミングをとるフレーム同期信号SYNC11、SYNC12およびビットクロックBCLK10を出力するものである。
【０００７】
このように構成された拡声同時通話装置において、例えば端末機ＦＳ′1の使用者が選局スイッチ５１を押下操作すると、当該端末機ＦＳ′1から選局情報である制御データが制御装置ＭＡ′1に出力され、制御装置ＭＡ′1ではこれを入力しＣＰＵ７３を介して、選局先である例えば端末機ＦＳ′2に呼出情報である制御データを出力する。端末機ＦＳ′2は呼出情報である制御データが入力されると、スピーカ５５より呼出音を鳴動させる。このスピーカ５５からの呼出音により、端末機ＦＳ′2の使用者が応答スイッチ５２を押下操作すると、各端末機ＦＳ′1、ＦＳ′2のＣＰＵ５３の制御によりタイミング回路６１が能動となり、コーデック５６、データ分離・合成回路５７、５８、エコーキャンセラーＥＣ1、ＥＣ2およびデータ整形回路５９の動作タイミングをとるためのフレーム同期信号SYNC11、SYNC12およびビットクロックBCLK10（図４（ｂ））が出力されることにより、所定の通話路が形成されるので、通話が成立する。
【０００８】
通話成立後、端末機ＦＳ′1の使用者が発した音声は、当該端末機ＦＳ′1のマイク５４にてアナログ音声信号Ｓ51に変換されコーデック５６に入力される。このアナログ音声信号Ｓ51は、コーデック５６にてタイミング回路６１からフレーム同期信号SYNC11およびフレーム同期信号SYNC12が入力される毎にサンプリングしてＡ／Ｄ変換し、ビットクロックBCLK10に同期されたシリアルのＰＣＭデータＳ52（PCM53a＋PCM53b（PCM0、PCM1、PCM2、PCM3、PCM4、・・・・・））として第１のデータ分離・合成回路５７に出力される。第１のデータ分離・合成回路５７は、入力されたＰＣＭデータＳ52をタイミング回路６１からフレーム同期信号SYNC11とフレーム同期信号SYNC12とが交互に入力される毎に、時分割したＰＣＭデータPCM53a、PCM53bとして２つのエコーキャンセラーＥＣ1、ＥＣ2に交互に振り分けて順次出力する（ＰＣＭデータの信号処理については、図４（ｂ）のタイミングチャート参照）。各エコーキャンセラーＥＣ1、ＥＣ2により音響帰還および電気的帰還に起因したハウリングが抑制されたＰＣＭデータPCM54a、PCM54bは、第２のデータ分離・合成回路５８にて元の順序に戻され、１つの信号列に束ねられたＰＣＭデータＳ55として、データ整形回路５９に出力される。データ整形回路５９は伝送フォーマットＳ500に、この入力された音声データであるＰＣＭデータＳ55のデータフレームを構成して（図４（ａ））、伝送回路６０に出力する。伝送回路６０は、この伝送フォーマットＳ500を変調し、伝送回路Ｌ′1を介して制御装置ＭＡ′1に出力する。
【０００９】
制御装置ＭＡ′1では、伝送された伝送フォーマットＳ500を伝送回路７１にて復調し、データ整形回路７２に出力する。データ整形回路７２は、ＣＰＵ２３による制御で復調された伝送フォーマットＳ500のデータフレームから、タイミング回路７４の動作タイミングでＰＣＭデータＳ55を取り出して、選局された端末機ＦＳ′2へ交換操作する。交換操作後、再度、データ整形回路７２にて交換操作されたＰＣＭデータＳ61のデータフレームが構成された伝送フォーマットＳ600（図４（ａ））を、伝送回路７１に出力する。伝送回路７１は、この伝送フォーマットＳ600を変調して、選局された端末機ＦＳ′2へ伝送する。
【００１０】
選局先の端末機ＦＳ′2では、伝送回路６０で伝送フォーマットＳ600を復調後、データ整形回路５９にて伝送フォーマットＳ600のデータフレームからＰＣＭデータＳ61を取り出し、第２のデータ分離・合成回路５８に出力する。第２のデータ分離・合成回路５８は、入力されたＰＣＭデータＳ61をタイミング回路６１からフレーム同期信号SYNC11とフレーム同期信号SYNC12とが交互に入力される毎に、時分割したＰＣＭデータPCM62a、PCM62bとして２つのエコーキャンセラーＥＣ1、ＥＣ2に交互に振り分けて順次出力する（ＰＣＭデータの信号処理については、図４（ｂ）のタイミングチャート参照）。各エコーキャンセラーＥＣ1、ＥＣ2により音響帰還および電気的帰還に起因したハウリングが抑制されたＰＣＭデータPCM63a、PCM63bは、第１のデータ分離・合成回路５７にて元の順序に戻され、１つの信号列に束ねられたＰＣＭデータＳ64として、コーデック５６に出力される。コーデック５６は、入力されたＰＣＭデータＳ64をタイミング発生回路６１からのビットクロックBCLKに同期してパラレルに信号処理し、Ｄ／Ａ変換させたアナログ音声信号Ｓ63としてスピーカ５５を鳴動させる。
【００１１】
【発明が解決しようとする課題】
しかしながら、このような従来の拡声同時通話装置では、ハウリング抑制のための信号処理を行うエコーキャンセラーを各端末機に搭載しているため、並列動作しているエコーキャンセラーを各々単独で動かして、通話チャンネルを増やすことができなかった。また、高音質を実現するためには、各端末機に搭載されているエコーキャンセラーの数に応じたチャンネル数しか使用できなかった。
【００１２】
本発明は、このような従来の難点を解決するためになされたもので、使用目的や通話のトラフィックに応じて通話チャンネル数を自由に変えることができる拡声同時通話インターホン装置装置を提供することを目的とする。
【００１３】
【課題を解決するための手段】
このような目的を達成する本発明の拡声同時通話装置は、電気−音響変換器、音響−電気変換器を有する端末機と通話の交換制御を行う制御装置とを伝送線路で接続し、音声をデジタル化して端末機間で拡声同時通話を行う拡声同時通話インターホン装置であって、制御装置に、拡声同時通話時における各端末機での電気−音響変換器、音響−電気変換器間の音響帰還および電気的帰還に起因するハウリングを抑制するための偶数個のエコーキャンセラーを備え、制御装置で使用目的および通話のトラフィックの多少に応じてサンプリング・レートを変えて伝送できる音声周波数帯域を可変することにより高音質音声または通話路数の増減への対応を可能とするため音声周波数帯域を可変する際、高音質音声で動作させる場合は偶数個のエコーキャンセラーを１対毎に分割して１対のエコーキャンセラーを交互に並列動作させることによりエコー除去できる音声周波数帯域を広帯域化させ、通話路数を増やす場合は偶数個のエコーキャンセラーのうちの一部の１対のエコーキャンセラーをそれぞれ個別動作させてエコーを除去しハウリングを抑制するタイミング回路を備えたものである。
【００１４】
このような拡声同時通話装置によれば、ハウリングを抑制するエコーキャンセラーを各端末機にではなく交換制御を行う制御装置に搭載することにより、タイミング回路による動作タイミングの設定次第で、使用目的や通話のトラフィックに応じて通話チャンネル数を自由に変えることができる拡声同時通話が実現できる。
【００１５】
【発明の実施の形態】
以下、本発明の拡声同時通話装置による好ましい実施の形態例について、図面を参照して説明する。
【００１６】
本発明の拡声同時通話装置は図１に示すように、通話を行うための端末機ＦＳ1、ＦＳ2、…ＦＳnと、通話の交換制御を行う制御装置ＭＡ1とを備え、伝送線路Ｌ1、Ｌ2、…Ｌnによって接続されている。
【００１７】
端末機ＦＳ1、ＦＳ2、…ＦＳnは何れも、選局スイッチ１１、応答スイッチ１２、ＣＰＵ１３、マイク１４、スピーカ１５、コーデック１６、データ整形回路１７、伝送回路１８およびタイミング回路１９から構成されている。
【００１８】
マイク１４およびスピーカ１５はコーデック１６に接続され、コーデック１６はデータ整形回路１７に接続され、データ整形回路１７には伝送回路１８およびＣＰＵ１３が接続されている。このＣＰＵ１３にはタイミング回路１９が接続され、タイミング回路１９はコーデック１６およびデータ整形回路１７に接続されている。また、ＣＰＵ１３には、選局スイッチ１１および応答スイッチ１２が接続されている。なお、伝送回路１８は端末機ＦＳ1、ＦＳ2、…ＦＳnそれぞれに対応した伝送線路Ｌ1、Ｌ2、…Ｌnに接続されている。
【００１９】
音響−電気変換器であるマイク１４および電気−音響変換器であるスピーカ１５は、拡声同時通話を行うための音声を送受信するためのものである。また、選局スイッチ１１は使用者が通話先の選択をするためのスイッチで、応答スイッチ１２は通話相手からの呼出しに対して応答するためのスイッチである。
【００２０】
コーデック１６は、マイク１４からのアナログ音声信号Ｓ1をＡ／Ｄ変換してＰＣＭデータＳ2をデータ整形回路１７に出力し、且つデータ整形回路１７から出力されるＰＣＭデータＳ21をＤ／Ａ変換して、そのアナログ音声信号Ｓ22をスピーカ１５に出力するものである。このコーデック１６は、使用目的および通話のトラフィックの多少に応じてサンプリング・レートを変えて伝送できる音声周波数帯域を可変することができる。
【００２１】
データ整形回路１７は、伝送フォーマットＳ10（図２（ａ））に制御データや音声データであるＰＣＭデータのデータフレームを構成させ、また、伝送フォーマットＳ20（図２（ａ））から制御データや音声データであるＰＣＭデータＳ21のデータフレームを分離させるものである。伝送回路１８は、後述する制御装置ＭＡ1から伝送線路Ｌ1、Ｌ2、…Ｌnを介して伝送されてくる変調信号を復調してデータ整形回路１７に出力し、且つデータ整形回路１７から出力される伝送フォーマットＳ10（図２（ａ））のデータフレームを変調し伝送線路Ｌ1、Ｌ2、…Ｌnを介して制御装置ＭＡ1に伝送するものである。タイミング回路１９は、コーデック１６およびデータ整形回路１７の動作タイミングをとるためのものである。なお、ＣＰＵ１３は、データ整形回路１７にて入出力される各データの制御処理を行っている。
【００２２】
一方、制御装置ＭＡ1は従来の制御装置と同様に、伝送回路２１、データ整形回路２２、ＣＰＵ２３およびタイミング回路２４を備え、さらに、拡声同時通話時における各端末機でのマイク１４、スピーカ１５間の音響帰還および電気帰還に起因するハウリング（以下、「エコー成分」という。）を抑制するために、偶数個のエコーキャンセラーＥＣ1、ＥＣ2、…ＥＣnを備えている。
【００２３】
伝送回路２１はデータ整形回路２２に接続され、データ整形回路２２にはＣＰＵ２３およびタイミング回路２４が接続されている。また、ＣＰＵ２３にはタイミング回路２４が接続され、タイミング回路２４はデータ整形回路２２および偶数個のエコーキャンセラーＥＣ1、ＥＣ2、…ＥＣnそれぞれに接続されている。なお、伝送回路２１には各伝送線路Ｌ1、Ｌ2、…Ｌnが接続されている。
【００２４】
伝送回路２１は、各端末機ＦＳ1、ＦＳ2、…ＦＳnから各伝送線路Ｌ1、Ｌ2、…Ｌnを介して伝送されてくる変調信号を復調してデータ整形回路２２に出力し、且つデータ整形回路２２から出力される伝送フォーマットＳ10のデータフレーム（図２（ａ））を変調し、伝送線路Ｌ1、Ｌ2、…Ｌnを介して各端末機ＦＳ1、ＦＳ2、…ＦＳnに伝送するものである。データ整形回路２２はＣＰＵ２３による制御で伝送フォーマットＳ10のデータフレームからＰＣＭデータを取り出して、選局された端末機へ交換操作し、再度、伝送フォーマットＳ20を構成して、伝送回路２１に出力するものである。
【００２５】
エコーキャンセラーＥＣ1、ＥＣ2、…ＥＣnは、デジタル信号で機能するので、音声をデジタル化して端末機間で拡声同時通話を行うための制御装置ＭＡ1に、同時に通話可能な通話路数分だけ搭載することができる。ここで、同時に通話可能な通話路数分とは、通話装置で同時通話を保証するチャンネル数の２倍であって端末機数、使用目的、呼損率によって設計上決定されるものである。
【００２６】
タイミング回路２４はＣＰＵ２３による制御で、データ整形回路２２および偶数個のエコーキャンセラーＥＣ1、ＥＣ2、…ＥＣnの動作タイミングをとるフレーム同期信号SYNC1、SYNC2およびビットクロックBCLK1を出力するものである。このタイミング回路２４は、偶数個のエコーキャンセラーＥＣ1、ＥＣ2、…ＥＣnを高音質音声で動作させる場合はエコーキャンセラーＥＣ1、ＥＣ2、…ＥＣnを１対毎に分割して１対のエコーキャンセラーを交互に並列動作するように動作タイミングをとり、また、通話路数を増やす場合はエコーキャンセラーＥＣ1、ＥＣ2、…ＥＣnのうちの一部の１対のエコーキャンセラーをそれぞれ個別動作するように動作タイミングをとる。
【００２７】
また、ＣＰＵ２３は、端末機の使用者が応答スイッチ１２を押下すると、通話開始、使用通話チャンネル数および通話チャンネル番号の制御データを、データ整形回路２２および伝送回路２１を介して、拡声同時通話を希望している端末機へ出力する。この際、タイミング回路２４に、使用通話チャンネル数および通話チャンネル番号に応じた動作タイミングをとるように動作指令を出力する。なお、ＣＰＵ２３は、拡声同時通話を希望している端末機の台数が多いときには通話路数を増やし、少ないときには高音質音声で動作させるように、使用通話チャンネル数および通話チャンネル番号を設定するが、チャンネル数や高音質音声の選択スイッチ（図示せず）により使用通話チャンネル数および通話チャンネル番号を選択することもできる。
【００２８】
このように構成された拡声同時通話装置において、例えば端末機ＦＳ1の使用者が選局スイッチ１１を押下操作すると、当該端末機ＦＳ1から選局情報である制御データが制御装置ＭＡ1に出力され、制御装置ＭＡ1ではこれを入力しＣＰＵ２３を介して、選局先である例えば端末機ＦＳ2に呼出情報である制御データを出力する。端末機ＦＳ2は呼出情報である制御データが入力されると、スピーカ１５より呼出音を鳴動させる。このスピーカ１５からの呼出音により、端末機ＦＳ2の使用者が応答スイッチ１２を押下操作すると、通話開始、使用通話チャンネル数および通話チャンネル番号の制御データを、データ整形回路２２および伝送回路２１を介して、拡声同時通話を希望している端末機へ出力するので、各端末機ＦＳ1、ＦＳ2のＣＰＵ１３の制御よりタイミング回路１９が能動となり、コーデック１６およびデータ整形回路１７の動作タイミングをとるための動作信号が出力されることにより、所定の通話路が形成されるので、通話が成立する。この際、タイミング回路２４に、使用通話チャンネル数および通話チャンネル番号に応じた動作タイミングをとるように動作指令を出力する。
【００２９】
通話成立後、端末機ＦＳ1の使用者が発した音声は、当該端末機ＦＳ1のマイク１４にてアナログ音声信号Ｓ1に変換されコーデック１６に入力される。このアナログ音声信号Ｓ1はコーデック１６にてタイミング回路１９の動作タイミングでサンプリングしてＡ／Ｄ変換し、ＰＣＭデータＳ2としてデータ整形回路１７に出力する。データ整形回路１７は、この入力された音声データであるＰＣＭデータＳ2を、伝送フォーマットＳ10にＰＣＭデータＳ2のデータフレームを構成して（図２（ａ））、伝送回路１８に出力する。伝送回路１８は、この伝送フォーマットＳ10を変調し、伝送回路Ｌ1を介して制御装置ＭＡ1に出力する。
【００３０】
制御装置ＭＡ1では、伝送された伝送フォーマットＳ10を伝送回路２１にて復調し、データ整形回路２２に出力する。データ整形回路２２では、ＣＰＵ２３による制御で復調された伝送フォーマットＳ10のデータフレームから、タイミング回路２４の動作タイミングでＰＣＭデータを取り出す。ここで、端末機ＦＳ1、ＦＳ2、…ＦＳnのコーデック１６が、使用目的および通話のトラフィックの多少に応じてサンプリング・レートを変えて伝送できる音声周波数帯域を変更していると仮定する。
【００３１】
この状況下において、高音質音声で動作させる場合は、偶数個のエコーキャンセラーＥＣ1、ＥＣ2、…ＥＣnを１対毎に分割して１対のエコーキャンセラーを交互に並列動作するように動作タイミングをとる。即ち、データ整形回路２２に入力されたＰＣＭデータを、例えばタイミング回路２４は、フレーム同期信号SYNC1とフレーム同期信号SYNC2とを交互に入力させる毎に、時分割したＰＣＭデータPCM11a（PCMa0、PCMa2、PCMa4、・・・・・）、PCM11b（PCMa1、PCMa3、・・・・・）として２つのエコーキャンセラーＥＣ1、ＥＣ2に交互に振り分けて順次入力させる（ＰＣＭデータの信号処理については図２（ｂ）参照）。各エコーキャンセラーＥＣ1、ＥＣ2によりエコー成分が抑制されたＰＣＭデータPCM12a、PCM12bは、ビットクロックBCLK1に同期させてデータ整形回路２２に出力される。データ整形回路２２は、この入力されたＰＣＭデータPCM12a、PCM12bを、選局された端末機ＦＳ2へ交換操作する。交換操作後、再度、交換操作されたＰＣＭデータPCM12a、PCM12bのデータフレームが構成された伝送フォーマットＳ20（図２（ａ））を、伝送回路２１に出力する。これにより、エコー除去できる音声周波数帯域を広帯域化させることができる。
【００３２】
また、通話路数を増やす場合は、偶数個のエコーキャンセラーＥＣ1、ＥＣ2、…ＥＣnのうちの一部の１対のエコーキャンセラーをそれぞれ個別動作するように動作タイミングをとる。即ち、データ整形回路２２に入力されたＰＣＭデータを、例えばタイミング回路２４は、フレーム同期信号SYNCnを入力させる毎に、ＰＣＭデータPCM11c（PCMb0、PCMb1、PCMb2、PCMb3、PCMb4、・・・・・）として１つのエコーキャンセラーＥＣnに入力させる（ＰＣＭデータの信号処理については図２（ｂ）参照）。エコーキャンセラーＥＣnによりエコー成分が抑制されたＰＣＭデータPCM12cは、ビットクロックBCLK1に同期させてデータ整形回路２２に出力される。データ整形回路２２は、この入力されたＰＣＭデータPCM12cを、選局された端末機ＦＳ2へ交換操作する。交換操作後、再度、交換操作されたＰＣＭデータPCM12cのデータフレームが構成された伝送フォーマットＳ20（図２（ａ））を、伝送回路２１に出力する。これにより、通話路数を増やしても、エコーを除去しハウリングを抑制することができる。
【００３３】
伝送回路２１は、この伝送フォーマットＳ20を変調して、選局された端末機ＦＳ2へ伝送する。選局先の端末機ＦＳ2では、伝送回路１８で伝送フォーマットＳ20を復調後、データ整形回路１７にてタイミング回路１９の動作タイミングで、伝送フォーマットＳ20のデータフレームからＰＣＭデータＳ21を取り出し、コーデック１６に出力する。コーデック１６は、入力されたＰＣＭデータＳ21をタイミング回路１９の動作タイミングで信号処理し、Ｄ／Ａ変換させたアナログ音声信号Ｓ22としてスピーカ１５を鳴動させる。
【００３４】
このように、端末機ＦＳ1、ＦＳ2、…ＦＳnのコーデック１６が、使用目的および通話のトラフィックの多少に応じてサンプリング・レートを変えて伝送できる音声周波数帯域を変更した場合においても、制御装置ＭＡ1に搭載された偶数個のエコーキャンセラーＥＣ1、ＥＣ2、…ＥＣnの動作タイミングを、タイミング回路２４で変えることにより、高音質音声または通話路数の増減への対応が可能となる。
【００３５】
【発明の効果】
以上の説明から明らかなように、本発明の拡声同時通話装置によれば、ハウリングを抑制するためのエコーキャンセラーを制御装置に搭載することにより、タイミング回路による動作タイミングの設定次第で、使用目的や通話のトラフィックに応じて通話チャンネル数を自由に変えることができる。
【図面の簡単な説明】
【図１】本発明の拡声同時通話装置を示すブロック図。
【図２】本発明の拡声同時通話装置のタイミングチャート。
【図３】従来の拡声同時通話装置を示すブロック図。
【図４】従来の拡声同時通話装置のタイミングチャート。
【符号の説明】
１４・・・・・マイク（音響−電気変換器）
１５・・・・・スピーカ（電気−音響変換器）
１９、２４・・・・・タイミング回路
ＦＳ1、ＦＳ2、…ＦＳn・・・・・端末機
Ｌ1、Ｌ2、…、Ｌn・・・・・伝送線路
ＥＣ1、ＥＣ2、…ＥＣｎ・・・・・エコーキャンセラー
【図１】
0004088393.tif 000002
【図２】
0004088393.tif 000003
【図３】
0004088393.tif 000004
【図４】
0004088393.tif 000005